(57)【要約】  本発明は、ネットワーク基盤の音響機器の個人設定情報管理方法及び当該方法を実現させるためのプログラムを記録したコンピュータ可読記録媒体に関し、本発明は、ネットワークを介して接続された音響機器を使用する環境における個人設定情報管理方法において、サーバに接続してアカウントを登録し、音響機器の使用時に参照される固有の情報（個人情報）をアカウント毎に設定するステップと、１つの音響機器を介してサーバに接続し、当該サーバから少なくとも１つの該当するアカウントユーザの個人情報をダウンロードして分類するステップと、１つの音響機器による歌の演奏時、該当のアカウントユーザの個人情報を抽出して、該当のアカウントユーザの個人情報に基づいた演奏環境を提示し、個人情報の変更時に変更事項を個人情報に自動反映するステップとを含む。
2008522212.tif 000002
【特許請求の範囲】
【請求項１】
音響機器の個人設定情報管理方法において、
前記音響機器の使用時に参照される固有の情報（個人情報）をアカウント毎に設定するステップと、
前記音響機器による歌の演奏時、該当のアカウントユーザの個人情報を抽出して、該当のアカウントユーザの個人情報に基づいた演奏環境を提示し、前記個人情報の変更時に変更事項を前記個人情報に自動反映するステップと
を含むことを特徴とする音響機器の個人設定情報管理方法。
【請求項２】
前記カラオケ機器が、
１つのカラオケ機器を複数のユーザが使用する場合、活性化したアカウント毎にボタンを付与するか、若しくは１つのボタンによって複数のアカウントを選択できるようにし、歌の予約時に曲目及びアカウントがともに入力されることを特徴とする請求項１に記載の音響機器の個人設定情報管理方法。
【請求項３】
ネットワークを介して接続された音響機器を使用する環境における個人設定情報管理方法において、
サーバに接続してアカウントを登録し、前記音響機器の使用時に参照される固有の情報（個人情報）をアカウント毎に設定するステップと、
１つの音響機器を介して前記サーバに接続し、当該サーバから少なくとも１つの該当するアカウントユーザの個人情報をダウンロードして分類するステップと、
前記１つの音響機器による歌の演奏時、該当のアカウントユーザの個人情報を抽出して、該当のアカウントユーザの個人情報に基づいた演奏環境を提示し、前記個人情報の変更時に変更事項を前記個人情報に自動反映するステップと
を含むことを特徴とするネットワーク基盤の音響機器の個人設定情報管理方法。
【請求項４】
前記１つの音響機器又は他の音響機器を介して前記サーバに接続し、当該サーバから前記変更事項の反映された該当のアカウントユーザの個人情報をダウンロードするステップと、
前記１つの音響機器又は他の音響機器による歌の演奏時、該当のアカウントユーザの個人情報を抽出して、前記変更事項の反映された該当のアカウントユーザの個人情報に基づいた演奏環境を提示し、変更事項の発生時に前記個人情報に自動反映するステップと
を更に含むことを特徴とする請求項３に記載のネットワーク基盤の音響機器の個人設定情報管理方法。
【請求項５】
前記該当のアカウントが活性化した状態において、演奏された曲目、当該曲目に関する演奏情報、演奏結果情報を該当のアカウントに自動格納するステップを更に含むことを特徴とする請求項３に記載のネットワーク基盤の音響機器の個人設定情報管理方法。
【請求項６】
前記音響機器における録音機能の設定時、
前記該当のアカウントが活性化した状態において、録音された歌を該当のアカウントに自動格納し、後でネットワークを介して前記１つの音響機器／他の音響機器はもちろん、他の通信機器でも再生可能であることを特徴とする請求項３に記載のネットワーク基盤の音響機器の個人設定情報管理方法。
【請求項７】
前記個人情報が、
カラオケ機器の状態や動作に関する情報、自分や仲間の歌った歌リスト及び関連情報、身元情報などの個人情報、その他録音曲、愛唱曲リスト、文字、音声、映像、絵写真といった任意の指定情報、前記カラオケ機器に連動したオーディオ機器の設定情報（エコー、ボリューム情報）を含んでおり、ネットワークを介して前記サーバに接続された前記カラオケ機器又は他の通信機器によって編集、格納することができることを特徴とする請求項３に記載のネットワーク基盤の音響機器の個人設定情報管理方法。
【請求項８】
前記カラオケ機器が、
ネットワークを介して前記サーバに接続され、１つのカラオケ機器を複数のユーザが使用する場合、活性化したアカウント毎にボタンを付与するか、若しくは１つのボタンによって複数のアカウントを選択できるようにし、歌の予約時に曲目及びアカウントがともに入力されることを特徴とする請求項３に記載のネットワーク基盤の音響機器の個人設定情報管理方法。
【請求項９】
前記アカウントユーザが音程領域を設定しておいた場合、
前記１つの音響機器／他の音響機器で選曲された曲の音程領域を探してユーザの音程領域と比較し、ユーザの音程領域内にある場合には、音程を変えることなく、ユーザの音程領域を超える場合には、ユーザの音程領域に入ることができるように音程を変えることを特徴とする請求項３に記載のネットワーク基盤の音響機器の個人設定情報管理方法。
【請求項１０】
前記アカウントユーザがオーディオ機器の設定情報（エコー、ボリューム情報）を設定しておいた場合、
前記１つの音響機器／他の音響機器に連動した前記オーディオ機器に設定情報（エコー、ボリューム情報）を伝送し、設定情報に基づいて機器出力が行われるようにすることを特徴とする請求項３に記載のネットワーク基盤の音響機器の個人設定情報管理方法。
【請求項１１】
ネットワークを介してサーバに接続された音響機器を使用する環境において、プロセッサを備えた個人設定情報管理システムにおいて、
サーバに接続してアカウントを登録し、前記音響機器の使用時に参照される固有の情報（個人情報）をアカウント毎に設定する機能と、
１つの音響機器を介して前記サーバに接続し、当該サーバから少なくとも１つの該当するアカウントユーザの個人情報をダウンロードして分類する機能と、
前記１つの音響機器による歌の演奏時、該当のアカウントユーザの個人情報を抽出して、該当のアカウントユーザの個人情報に基づいた演奏環境を提示し、前記個人情報の変更時に変更事項を前記個人情報に自動反映する機能と
を実現させるためのものであることを特徴とするプログラムを記録したコンピュータ可読記録媒体。
【発明の詳細な説明】
【技術分野】
【０００１】
本発明は、音響機器の個人設定情報管理方法及び当該方法を実現させるためのプログラムを記録したコンピュータ可読記録媒体に関し、より詳しくは、音響機器（カラオケ機器など）を複数の人が使用したり、別の音響機器を使用する場合において、既設定の自分の情報を復元して使用し、新たな情報を追加して格納／更新させることにより、あたかも自分だけの固有の機器を使用するかのような効果を提供できるようにする音響機器の個人設定情報管理方法及び当該方法を実現させるためのプログラムを記録したコンピュータ可読記録媒体に関する。
【背景技術】
【０００２】
カラオケ機器とは、メモリに記録された曲をユーザが選択して画面に表示される歌詞を見て歌う機器のことで、一般の人々は、カラオケ店に行ってカラオケ機器で歌を歌いながらストレスを解消したりする。
【０００３】
カラオケ機器には、一般的に曲目検索機能（新曲検索、タイトル検索、歌手検索、番号検索、ジャンル検索、年度検索、歌詞検索、ヒット曲検索、イベント曲検索など）がある。また、歌の演奏中に使用される機能（テンポ、音程、コーラス、メロディ、前奏や間奏の削除、小節飛ばし、小節戻し、歌う途中に終了させるエンディング、１番のみ、楽器毎又はチャネル毎のボリューム調節など）や、歌と歌の間に使用される機能（１曲演奏、リピート演奏、連続演奏、ランダム演奏など）、背景映像を変えるための機能（外部入力モード、静止画モード、動画モードなど）、メドレー機能（歌手メドレー、ダンスメドレー、愛唱歌メドレーなど）があり、このほかにも、歌詞の位置制御、歌詞削除、ルビ制御、画面の明るさ制御、予約曲編集機能などがある。このように、カラオケ機器を通じて個々人が設定可能な情報を、本発明においては、「カラオケ機器の個人設定情報」と称する。
【０００４】
カラオケ機器で歌を歌うユーザは、その都度希望の曲目を選択（選曲）した後、自分の歌（音源）の演奏がはじまると、歌の音程、テンポ、メロディなどを調整し、カラオケ機器に連動したオーディオ機器のエコーやボリュームなどを調整し、その他自分に合った機能を調整して使用することにより、各自の好みに合わせて「カラオケ機器の個人設定情報」をその都度入力して使用しなければならなかった。
【０００５】
もちろん、自分の歌った歌や仲間の歌った歌などを後で使用しようとする場合は、これらをその都度記憶させることで、後の選曲時にその便宜性を増大させることもできるが、記憶には限界がある上、各歌毎に自分の希望する音程、テンポ、メロディなどをその都度記憶させることが難しいといった問題がある。仮に、記憶力の限界を克服するため、メモなどによって「カラオケ機器の個人設定情報」を獲得するとしても、選曲や、その他歌の音程、テンポ、メロディなどの調整時にユーザによる最小の入力過程が必ず伴わなければならないという不便さは、依然問題として残る。
【発明の開示】
【発明が解決しようとする課題】
【０００６】
本発明は、上記のような問題を解決するためになされたものであり、その目的は、既設定の自分の情報を復元して使用し、新たな情報を追加して格納／更新させることにより、より便利にカラオケ機器を利用できるようにする音響機器の個人設定情報管理方法及び当該方法を実現させるためのプログラムを記録したコンピュータ可読記録媒体を提供することにある。
【０００７】
本発明の他の目的は、インターネットなどを介してサーバに接続された音響機器（カラオケ機器など）を複数の人が使用したり、別の機器を使用する場合において、既設定の自分の情報を復元して使用し、新たな情報を追加して格納／更新させることにより、あたかも自分だけの固有の機器を使用するかのような効果を提供できるようにする音響機器の個人設定情報管理方法及び当該方法を実現させるためのプログラムを記録したコンピュータ可読記録媒体を提供することにある。
【課題を解決するための手段】
【０００８】
上記目的を達成するための本発明は、ネットワークを介して接続された音響機器を使用する環境における個人設定情報管理方法において、サーバに接続してアカウントを登録し、前記音響機器の使用時に参照される固有の情報（個人情報）をアカウント毎に設定するステップと、１つの音響機器を介して前記サーバに接続し、当該サーバから少なくとも１つの該当するアカウントユーザの個人情報をダウンロードして分類するステップと、前記１つの音響機器による歌の演奏時、該当のアカウントユーザの個人情報を抽出して、該当のアカウントユーザの個人情報に基づいた演奏環境を提示し、前記個人情報の変更時に変更事項を前記個人情報に自動反映するステップとを含んでなることを特徴とする。
【０００９】
また、本発明は、前記１つの音響機器又は他の音響機器を介して前記サーバに接続し、当該サーバから前記変更事項の反映された該当のアカウントユーザの個人情報をダウンロードするステップと、前記１つの音響機器又は他の音響機器による歌の演奏時、該当のアカウントユーザの個人情報を抽出して、前記変更事項の反映された該当のアカウントユーザの個人情報に基づいた演奏環境を提示し、変更事項の発生時に前記個人情報に自動反映するステップとを更に含んでなることを特徴とする。
【００１０】
更に、本発明は、前記該当のアカウントが活性化した状態において、演奏された曲目、当該曲目に関する演奏情報、演奏結果情報を該当のアカウントに自動格納するステップを更に含んでなることを特徴とする。
【００１１】
一方、本発明は、ネットワークを介してサーバに接続された音響機器を使用する環境において、プロセッサを備えた個人設定情報管理システムにおいて、サーバに接続してアカウントを登録し、前記音響機器の使用時に参照される固有の情報（個人情報）をアカウント毎に設定する機能と、１つの音響機器を介して前記サーバに接続し、当該サーバから少なくとも１つの該当するアカウントユーザの個人情報をダウンロードして分類する機能と、前記１つの音響機器による歌の演奏時、該当のアカウントユーザの個人情報を抽出して、該当のアカウントユーザの個人情報に基づいた演奏環境を提示し、前記個人情報の変更時に変更事項を前記個人情報に自動反映する機能とを実現させるためのプログラムを記録したコンピュータ可読記録媒体を提供する。
【００１２】
本発明は、「カラオケ機器の個人設定情報」を格納、管理するサーバにインターネットで接続されたカラオケ機器を使用する場合において、１つの機器を複数の人が使用したり、別の機器を使用するとき、自分の使用していたカラオケ機器の状態や動作に関する情報、自分や仲間の歌った歌リスト及び関連情報、身元情報などの個人情報、その他録音曲、愛唱曲リスト、文字、音声、映像、絵写真などといったユーザが任意で格納した情報、カラオケ機器に連動したオーディオ機器の設定情報としてエコーやボリュームなどをサーバに格納し、必要な場合にカラオケ機器に読み込んでユーザの設定した状態に復元して利用することができ、新たな情報の更新／格納を可能とすることにより、より便利にカラオケ機器を利用できるようにする。すなわち、１つのカラオケ機器で既設定の「カラオケ機器の個人設定情報」を復元して利用することができ、新たな情報の更新／格納（情報のアップデート）が可能であり、他のカラオケ機器でアップデートされた「カラオケ機器の個人設定情報」を復元して利用することができる。
【００１３】
このとき、カラオケ機器を複数の人が利用する場合は、各自の名前や指定された名称（アカウント）によって自分の「カラオケ機器の個人設定情報」をサーバから読み込んで復元することにより、あたかも自分の機器を使用するかのような効果を得ることができる。すなわち、自分の愛唱曲リストなどから選曲することができ、同じ曲が演奏される場合は、以前演奏されていた状況（音程、テンポ、メロディ、エコー、ボリューム、背景画面など）がそのまま再現され得る。
【００１４】
本発明の他の目的及び利点は以下の明細書及び本発明の実施形態によってより明確に理解されるだろう。さらに、本発明の目的及び利点は、請求項に明記された方法及びその組み合わせによって実現されうることが容易に理解されるであろう。
【発明の効果】
【００１５】
本発明は、インターネットなどを介してサーバに接続された音響機器（カラオケ機器など）を複数の人が使用したり、別の機器を使用する場合において、既設定の自分の情報を復元して使用し、新たな情報を追加して格納／更新させることにより、あたかも自分だけの固有の機器を使用するかのような効果がある。
【００１６】
また、本発明は、「カラオケ機器の個人設定情報」をその都度入力しなくても、自動で自分だけの固有のカラオケ機器環境を構築することができ、ユーザの便宜性を増大させることができるという効果がある。
【００１７】
本発明の、上記、他の目的及び特徴は添付の図面とともに示される好ましい実施形態の下記の詳細から明らかになるだろう。
【発明を実施するための最良の形態】
【００１８】
上述した目的、特徴及び長所は、添付された図面に関する、以下の詳細な説明により明確になるはずであり、それにより、本発明の属する技術分野における通常の知識を有する者が本発明の技術的思想を容易に実施することができる。また、本発明を説明するにあたり、本発明に関連する公知技術についての具体的な説明が、本発明の要旨を不明にする可能性があると判断された場合、その詳細な説明を省略することにする。以下、添付された図面を参照して本発明の好ましい実施形態をより詳細に説明する。
【００１９】
図１は、本発明の第１実施形態の適用される音響機器の個人設定情報管理システムの構成を示す図である。
【００２０】
同図に示すように、本発明の適用される音響機器の個人設定情報管理システムは、「カラオケ機器の個人設定情報」を格納するデータベース１０３を有する音響機器（カラオケ機器）１０１を備える。
【００２１】
ここで、データベース１０３は、ユーザによって手動で作成されたか、若しくは音響機器（カラオケ機器）１０１によって自動で作成された各種情報を格納、管理する機能を行う。
【００２２】
図２は、本発明の第１実施形態に係る音響機器の個人設定情報管理方法のうち、個人設定情報の利用及び更新／格納過程に関する一実施形態を詳細に示すフローチャートである。
【００２３】
まず、サービス登録されたユーザ（アカウントユーザ）がカラオケ店に行って、音響機器（カラオケ機器）１０１に自分のＩＤ（／及びパスワード）（又はＩＤに代わるアカウント情報）を入力する（２０１）と、音響機器（カラオケ機器）１０１は、ユーザ情報（ＩＤ（／及びパスワード）又はアカウント情報など）を検索し（２０３）、ユーザ情報に対応する「カラオケ機器の個人設定情報」があれば、各自のアカウントへ移動して（１つの音響機器（カラオケ機器）１０１を複数のユーザが同時に利用する場合を勘案したものである）、歌の検索及び予約をする（２０５）。このとき、愛唱曲リストなどから選曲が可能で、予約の際には、曲目とともにアカウントが対で予約される。すなわち、自分のアカウントへ移動して、歌の検索及び予約をした場合、曲目の番号とともにアカウントが自動で予約される。これにより、自分の指定した曲が演奏されるとき、以前の演奏状況（音程、テンポ、メロディ、エコー、ボリューム、背景画面、ユーザの指定した映像や文字の画面表示や格納されたサウンドの出力など）がそのまま再現される。
【００２４】
次に、該当のアカウントユーザの指定した曲の演奏がはじまるとき、該当のアカウントユーザの「カラオケ機器の個人設定情報」に移動（抽出）して、このアカウントの「カラオケ機器の個人設定情報」を用いて、該当の音響機器（カラオケ機器）１０１の動作状態を復元する（２０７）。同時に、該当のアカウントユーザの指定した映像や文字を画面に表示したり格納されたサウンドを出力するなどの動作を呼び出す。また、歌の演奏がはじまると、以前に格納された演奏情報を復元する（２０９）。
【００２５】
すなわち、該当のアカウントユーザの指定した曲の演奏がはじまると、該当のアカウントユーザの「カラオケ機器の個人設定情報」に基づき、音響機器（カラオケ機器）１０１の状態や動作に関する情報が復元され、テンポ、音程、歌手やコーラス、メロディ、前奏や間奏の削除、１番のみなどといった曲の演奏に関連する情報、音響機器（カラオケ機器）１０１に連動したオーディオ機器の動作に関するエコーやボリュームなどのような情報が復元される。
【００２６】
一方、歌が終わったら、該当の曲目、点数、歌った回数などの各種情報が、まず、音響機器（カラオケ機器）１０１にアカウント毎に臨時格納された後、アカウントの終了時（２１３）、格納された情報（曲目、それぞれの曲目に対する点数、歌った回数など）を音響機器（カラオケ機器）１０１のデータベース１０３に該当のアカウントユーザの「カラオケ機器の個人設定情報」を更新／格納させる（２１５）。これは、次回の使用時に更新格納された「カラオケ機器の個人設定情報」を復元及び利用できるようにするためである。このとき、自分の歌った歌リストや自分のアカウントを用いて、他の人の歌ったリストが愛唱曲リストなどに自動で格納されるのはもちろん、それぞれの曲目に対する点数、歌った回数などといった曲の演奏に関連する情報も自動で格納され、統計資料として活用することができる。もちろん、アカウントユーザが録音を選択した場合は、録音された歌が該当のアカウントに自動で格納され、後で録音された曲を再聴取することもできる。
【００２７】
しかし、カラオケ機器は、通常、複数の人が使用したり、カラオケ機器を使用する度に異なる機器を使用する場合が多い。カラオケ店で使用される営業用カラオケ機器の場合には、ユーザが同じ機器を使用するとしても、該当の機器を使用するすべての人の「カラオケ機器の個人設定情報」を格納しておくには、メモリ容量に限界がある。
【００２８】
したがって、音響機器（カラオケ機器など）をインターネットなどのネットワークを介してサーバに接続し、「カラオケ機器の個人設定情報」を提供する本発明の第２実施形態に係る個人設定情報管理システム及び管理方法が要求され、以下、図３〜図５を参照して本発明の第２実施形態を説明する。
【００２９】
図３は、本発明の第２実施形態の適用される音響機器の個人設定情報管理システムの構成を示す図である。
【００３０】
同図に示すように、本発明の適用される音響機器の個人設定情報管理システムは、「カラオケ機器の個人設定情報」を格納するデータベース３０５を有するサーバ３０３と、これらの情報を利用又は格納するユーザ端末３０１と、音響機器（カラオケ機器）３０７とで構成される。
【００３１】
ここで、データベース３０５は、ユーザによって手動で作成されたか、若しくは音響機器（カラオケ機器）３０７によって自動で作成された各種情報を格納、管理する機能を果たし、サーバ３０３は、これらの情報を用いた音響機器（カラオケ機器）３０７やユーザ端末３０１の要求に対応して動作するように構成される。
【００３２】
音響機器の個人設定情報管理システムは、情報通信網基盤の下、「カラオケ機器の個人設定情報」を利用、更新／格納するためのもので、ユーザがユーザ端末３０１又は音響機器（カラオケ機器）３０７を介してサーバ３０３に接続し、サービス加入後、「カラオケ機器の個人設定情報」を設定（登録／格納／更新を含む）しておき、１つの音響機器（カラオケ機器）３０７−１で既設定の「カラオケ機器の個人設定情報」を復元して利用することができ、新たな情報の更新／格納（情報のアップデート）が可能で、かつ、音響機器３０７−１又は他の音響機器（カラオケ機器）３０７−２でアップデートされた「カラオケ機器の個人設定情報」を復元して利用できるようにする。
【００３３】
ここで、有無線インターネット（ＷＡＰ／ＭＥ、ＷＥＢ）、イントラネット、近距離通信網（ＬＡＮ）、公衆電話網（ＰＳＴＮ）、携帯インターネット（ＷｉＢｒｏ）、ＤＭＢ（Ｄｉｇｉｔａｌ  Ｍｕｌｔｉｍｅｄｉａ  Ｂｒｏａｄｃａｓｔｉｎｇ）のための衛星や地上波放送網などの情報通信網は、ユーザ端末３０１とサーバ３０３との間の通信回線を接続して、「カラオケ機器の個人設定情報」の設定（登録／格納／更新を含む）が行われるように接続設定し、音響機器（カラオケ機器）３０７とサーバ３０３との間の通信回線を接続して、設定された「カラオケ機器の個人設定情報」の復元（利用）及び更新／格納が行われるように接続設定する。
【００３４】
したがって、ユーザ端末３０１には、個人用コンピュータ（ＰＣ）、ノート型パソコンのみならず、ＰＤＡ（Ｐｅｒｓｏｎａｌ  Ｄｉｇｉｔａｌ  Ａｓｓｉｓｔａｎｔ）、セルラー電話やＰＣＳ電話などのような移動通信端末、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ）、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）などのような次世代移動通信端末、ＷＡＰ端末、ＷＥＢ端末などとなり得、サーバ３０３とのネットワーク接続によって「カラオケ機器の個人設定情報」の設定（登録／格納／更新を含む）が可能であれば、その種類にこだわらない。
【００３５】
データベース３０５には、「カラオケ機器の個人設定情報」がサービスユーザ毎に格納されている。すなわち、自分の使用していた音響機器（カラオケ機器）３０７の状態や動作に関する情報、自分や仲間の歌った歌リスト及び関連情報、身元情報などの個人情報、その他録音曲、愛唱曲リスト、文字、音声、映像、絵写真などといったユーザが任意で格納した情報、音響機器（カラオケ機器）３０７に連動したオーディオ機器の設定情報としてエコーやボリュームなどがユーザの名前又はアカウント（名称）毎に格納されている。
【００３６】
サーバ３０３は、データベース３０５に基づいて「カラオケ機器の個人設定情報」を格納、管理し、情報通信網を介してユーザ端末３０１及び音響機器（カラオケ機器）３０７に接続し、音響機器（カラオケ機器）３０７の要求に応答して動作する。
【００３７】
以下、図４を参照してサービス加入及び「カラオケ機器の個人設定情報」の登録の手順について説明する。
【００３８】
まず、ユーザは、端末３０１又は音響機器（カラオケ機器）３０７を用いて、有無線インターネット（ＷＥＢ、ＭＥ／ＷＡＰ）又は有無線通信網（公衆電話網（ＰＳＴＮ）、移動通信網など）を介してサーバ３０３に接続し（４０１）、サーバ３０３の接続案内画面にしたがってＩＤ、パスワード（Ｐ／Ｗ）、名前、年齢、性別、国籍、連絡先などのような身元情報を入力し、サービス加入（アカウント登録）を行う（４０３、４０５）。
【００３９】
アカウントが作られると、「カラオケ機器の個人設定情報」を追加、編集、格納することができる。すなわち、サービス加入者は、音響機器（カラオケ機器）３０７の状態や動作に関する情報、身元情報などの個人情報、その他録音曲、愛唱曲の曲目、音声、映像、写真などといったユーザが任意で作成した情報、音響機器（カラオケ機器）３０７に連動したオーディオ機器のエコーやボリュームなどに関する情報などを作成して格納登録する（４０７、４０９）。このとき、サービス加入者毎に「カラオケ機器の個人設定情報」が格納管理され、加入者が必要なときに随時変更格納することができる。すなわち、サービス加入者は、「カラオケ機器の個人設定情報」を登録、格納、更新することができる。
【００４０】
ここで、サービス登録されたユーザ（アカウントユーザ）が自分の「カラオケ機器の個人設定情報」を変更及び新しい内容を格納しようとする場合は、サーバに接続し（４０１）、ＩＤとパスワードとを入力して正当なサービス利用者として認証され（４１１）、自分の「カラオケ機器の個人設定情報」を登録することができる（４０７、４０９）。
【００４１】
登録過程（４０７、４０９）において、タイマーの駆動によって失敗の回数（例えば、３回）を制限することができる（４１３）。
【００４２】
一方、サービス登録されたユーザ（アカウントユーザ）は、サーバ３０３に格納された情報を利用するため、サーバ３０３にネットワークで接続された音響機器（カラオケ機器）３０７にＩＤ（／及びパスワード）（又はＩＤに代わるアカウント情報）を入力し、サーバ３０３から自分の「カラオケ機器の個人設定情報」を読み込んで利用をはじめ、利用の終了時には、修正された情報や新たに収集された情報などがサーバ３０３のデータベース３０５（ユーザアカウント毎にデータベースが構築されている）に自動で更新、格納される。このとき、音響機器（カラオケ機器）３０７が時間制やコイン制に用いられた場合には、使用時間が終了するか、若しくはコインがなくなる場合を利用の終了として判断し、それまでの情報をサーバ３０３のデータベース３０５に格納させることもできる。
【００４３】
仮に、１つの音響機器（カラオケ機器）３０７を複数のユーザが同時に利用する場合、それぞれのユーザは、自分のアカウントを選択した後（このとき、それぞれのユーザに対するボタンを用いるか、若しくは１つのボタンによって順次変化させてユーザを選択することができる）、自分の「カラオケ機器の個人設定情報」を呼び出して復元及び利用することができ、このとき、更新される情報については、ユーザ毎（アカウント毎）に分離して格納／更新される。
【００４４】
しかし、音響機器（カラオケ機器）３０７を使用するにあたり、歌を予め予約する場合があり得るが、歌が予約された場合は、曲の番号のみならず、ユーザアカウントをともに予約しておけば、該当曲の演奏がはじまるとき、以前の演奏状況（音程、テンポ、メロディ、エコー、ボリューム、背景画面、ユーザの指定した映像や文字の画面表示や格納されたサウンドの出力など）がそのまま再現され得る。もちろん、自分のアカウントの入力後、愛唱曲リストなどから選曲して該当の演奏をはじめるとき、以前の演奏状況（音程、テンポ、メロディ、エコー、ボリューム、背景画面、ユーザの指定した映像や文字の画面表示や格納されたサウンドの出力など）がそのまま再現されることは言うまでもない。
【００４５】
このとき、アカウントユーザの指定した曲の演奏がはじまるとき、「カラオケ機器の個人設定情報」に基づき、音響機器（カラオケ機器）３０７の状態や動作に関する情報が復元され、テンポ、音程、歌手やコーラス、メロディ、前奏や間奏の削除、１番のみなどといった曲の演奏に関連する情報、音響機器（カラオケ機器）３０７に連動したオーディオ機器の動作に関するエコーやボリュームなどのような情報が復元される。
【００４６】
一方、歌が終わったら、音響機器（カラオケ機器）３０７とオーディオ機器とは、通常の状態に復元され、曲の番号及び曲の演奏に関連する情報と、音響機器（カラオケ機器）３０７及びオーディオ機器の状態や動作に関する情報がサーバ３０３に伝送され、自分の「カラオケ機器の個人設定情報」の更新／格納が行われ（自分のアカウントに更新／格納される）、次回の使用時に更新格納された「カラオケ機器の個人設定情報」を復元及び利用できるようにする。このとき、自分の歌った歌リストや他の人の歌ったリストが愛唱曲リストなどに自動で格納されるのはもちろん、それぞれの曲目に対する点数、歌った回数などといった曲の演奏に関連する情報も自動で格納され、統計資料として活用することができる。
【００４７】
もちろん、アカウントユーザが録音を選択した場合は、該当曲の演奏の開始とともに録音がはじまり、該当曲の演奏が終了すれば録音が完了し、自動で該当のアカウントに録音された歌が格納され、該当のアカウントユーザは、後で録音曲リストを用いて録音された曲を再聴取することができる。
【００４８】
更に、アカウントユーザがデフォルトで音程領域を設定しておいた場合、選曲された曲の音程領域を探してユーザの音程領域と比較し、ユーザの音程領域内にある場合には、音程を変えることなく、ユーザの音程領域を超える場合には、ユーザの音程領域に入ることができるように音程を変える。
【００４９】
図５は、本発明に係る音響機器の個人設定情報管理方法のうち、個人設定情報の利用及び更新／格納過程に関する一実施形態を詳細に示すフローチャートである。
【００５０】
まず、サービス登録されたユーザ（アカウントユーザ）がカラオケ店に行って、サーバ３０３にネットワークで接続された音響機器（カラオケ機器）３０７に自分のＩＤ（／及びパスワード）（又はＩＤに代わるアカウント情報）を入力する（５０１）と、音響機器（カラオケ機器）３０７は、ユーザ情報（ＩＤ（／及びパスワード）又はアカウント情報など）をサーバ３０３に伝送し、サーバ３０３からは、その応答として、ユーザ情報に対応する「カラオケ機器の個人設定情報」を該当の音響機器（カラオケ機器）３０７にネットワークを介して伝送する。
【００５１】
その後、該当のアカウントユーザの「カラオケ機器の個人設定情報」が正常にダウンロードされる（５０３）と、音響機器（カラオケ機器）３０７では、該当のアカウントユーザの「カラオケ機器の個人設定情報」をメモリに格納し、アカウントが用意されたことを表示する（５０５）。
【００５２】
このようにアカウントが用意されると、各自のアカウントへ移動して（１つの音響機器（カラオケ機器）３０７を複数のユーザが同時に利用する場合を勘案したものである）、歌の検索及び予約をする（５０７）。このとき、愛唱曲リストなどからの選曲が可能で、予約の際には、曲目とともにアカウントが対で予約される。すなわち、自分のアカウントへ移動して、歌の検索及び予約をした場合、曲目の番号とともにアカウントが自動で予約される。これにより、自分の指定した曲が演奏されるとき、以前の演奏状況（音程、テンポ、メロディ、エコー、ボリューム、背景画面、ユーザの指定した映像や文字の画面表示や格納されたサウンドの出力など）がそのまま再現される。
【００５３】
次に、該当のアカウントユーザの指定した曲の演奏がはじまるとき、該当のアカウントユーザの「カラオケ機器の個人設定情報」に移動（抽出）して、このアカウントの「カラオケ機器の個人設定情報」を用いて、該当の音響機器（カラオケ機器）３０７及びオーディオ機器の動作状態を復元する（５０９）。同時に、該当のアカウントユーザの指定した映像や文字を画面に表示したり格納されたサウンドを出力するなどの動作を呼び出す。また、歌の演奏がはじまると、以前に格納された演奏情報を復元する（５１１）。
【００５４】
すなわち、該当のアカウントユーザの指定した曲の演奏がはじまると、該当のアカウントユーザの「カラオケ機器の個人設定情報」に基づき、音響機器（カラオケ機器）３０７の状態や動作に関する情報が復元され、テンポ、音程、歌手やコーラス、メロディ、前奏や間奏の削除、１番のみなどといった曲の演奏に関連する情報、音響機器（カラオケ機器）３０７に連動したオーディオ機器の動作に関するエコーやボリュームなどのような情報が復元される。
【００５５】
一方、歌が終わったら、該当の曲目、点数、歌った回数などの各種情報が、まず、音響機器（カラオケ機器）３０７にアカウント毎に臨時格納された後、アカウントの終了時（５１５）、格納された情報（曲目、それぞれの曲目に対する点数、歌った回数など）をサーバ３０３に伝送し、該当のアカウントユーザの「カラオケ機器の個人設定情報」を更新／格納させる（５１７）。
【００５６】
すなわち、歌が終わったら、音響機器（カラオケ機器）３０７とオーディオ機器とは、通常の状態に復元され、曲の番号及び曲の演奏に関連する情報と、音響機器（カラオケ機器）３０７及びオーディオ機器の状態や動作に関する情報がサーバ３０３に伝送され、自分の「カラオケ機器の個人設定情報」の更新／格納が行われる。これは、次回の使用時に更新格納された「カラオケ機器の個人設定情報」を復元及び利用できるようにするためである。このとき、自分の歌った歌リストや自分のアカウントを用いて、他の人の歌ったリストが愛唱曲リストなどに自動で格納されるのはもちろん、それぞれの曲目に対する点数、歌った回数などといった曲の演奏に関連する情報なども自動で格納され、統計資料として活用することができる。もちろん、アカウントユーザが録音を選択した場合には、録音された歌が該当のアカウントに自動で格納され、後で録音された曲を再聴取することもできる。
【図面の簡単な説明】
【００５７】
【図１】本発明の第１実施形態の適用される音響機器の個人設定情報管理システムの構成を示す図である。
【図２】本発明の第１実施形態に係る音響機器の個人設定情報管理方法のうち、個人設定情報の利用及び更新／格納過程に関する一実施形態を詳細に示すフローチャートである。
【図３】本発明の第２実施形態の適用される音響機器の個人設定情報管理システムの構成を示す図である。
【図４】本発明の第２実施形態に係る音響機器の個人設定情報管理方法のうち、サービス加入及び個人設定情報の登録過程に関する一実施形態を詳細に示すフローチャートである。
【図５】本発明の第２実施形態に係る音響機器の個人設定情報管理方法のうち、個人設定情報の利用及び更新／格納過程に関する一実施形態を詳細に示すフローチャートである。
【図１】
2008522212.tif 000003
【図２】
2008522212.tif 000004
【図３】
2008522212.tif 000005
【図４】
2008522212.tif 000006
【図５】
2008522212.tif 000007
【国際調査報告】
2008522212.tif 000008